(57)【要約】【課題】サッシにおける意匠性を向上させた操作ハンドルを提供する。【解決手段】建物開口部に設けられる枠体１に対し、框体２１内にパネル体２０を納めた障子２を開閉自在に納めてなり、框体２１の室内側内周面には操作ハンドル３０が設けられ、操作ハンドル３０は操作がなされる把手部３２と、把手部３２を回動自在に保持する基部３１と、把手部３２と連係し該把手部３２の動作に伴い枠体１に設けられる係合部１８と係脱する連係部３３とを有してなり、基部３１は把手部３２に向かって光を照射する発光部３４を有し、把手部３２は透明な材料によって形成されてなる。【選択図】図９
2009228214.tif 000002
【特許請求の範囲】
【請求項１】
框体内にパネル体を納めた障子を枠体内に開閉自在に納めてなるサッシの前記框体の室内側内周面に設けられる操作ハンドルにおいて、
前記操作ハンドルは操作がなされる把手部と、該把手部を回動自在に保持する基部と、前記把手部と連係し該把手部の動作に伴い前記枠体に設けられる係合部と係脱する連係部とを有してなり、
前記基部は前記把手部に向かって光を照射する発光部を有し、前記把手部は透明な材料によって形成されてなることを特徴とする操作ハンドル。
【請求項２】
前記把手部は前記発光部からの光を前記基部側から先端側に向かうように屈曲させる屈曲部を有してなることを特徴とする請求項１記載の操作ハンドル。
【請求項３】
前記基部は前記把手部と対向する対向面に前記把手部を保持する保持部及び前記発光部を備え、前記屈曲部は前記把手部内において前記対向面に対して傾斜状に配置された反射面からなることを特徴とする請求項２記載の操作ハンドル。
【請求項４】
前記基部は前記対向面に前記発光部を取付可能な取付部を備え、該取付部は前記保持部を挟んで対称位置に２か所設けられることを特徴とする請求項３記載の操作ハンドル。
【請求項５】
前記基部は前記連係部または把手部の動作を検知する検知部を有し、該検知部により前記連係部が前記係合部に係合したことが検知されると前記発光部を発光させることを特徴とする請求項１〜４のいずれか１項に記載の操作ハンドル。
【請求項６】
建物開口部に設けられる枠体に対して、框体内にパネル体を納めた障子を開閉自在に納めてなるサッシにおいて、
前記前記框体の室内側内周面には請求項１〜５のいずれか１項に記載の操作ハンドルを設けてなることを特徴とするサッシ。
【発明の詳細な説明】
【技術分野】
【０００１】
本発明は、枠体内に障子を開閉自在に納めたサッシの框体内周面に設けられる操作ハンドル及びそれを有するサッシに関し、特に把手部に対して光を照射する発光部を設けた操作ハンドル及びそれを有するサッシに関する。
【背景技術】
【０００２】
建物開口部に設けられる枠体内に障子を開閉自在に納めたサッシとしては、例えば縦辷り出し窓や横辷り出し窓、あるいは平行辷り出し窓などがある。枠体は、建物開口部に取付けられる上下枠及び縦枠を方形状に枠組みしてなり、さらに上下枠及び縦枠内に縦横の仕切材を設けて複数の障子を納めることができるようにしたものもある。障子は、方形状に框組みしてなる框体内にガラス板等のパネル体を納めて構成され、枠体とはリンク部品を介して連結される。
【０００３】
ここで、障子を構成する框体の内周面には、障子を開閉するための操作ハンドルが設けられる。操作ハンドルは、框体に固定される基部と、基部に対して回動自在に取付けられた把手部とからなり、把手部を手で持って障子を開閉させることができる。また、把手部は枠体に設けられる係合部と係脱自在な連係部と連係しており、把手部を基部に対して回動させることによって、連係部は枠体の係合部と係脱し、障子の施錠状態と解錠状態を切替えることができる。このような操作ハンドルを有したサッシとしては、例えば特許文献１に挙げるようなものがある。
【特許文献１】特開２００７−１３２０８４号公報
【発明の開示】
【発明が解決しようとする課題】
【０００４】
従来のサッシにおいても、サッシの意匠性を向上させるため、枠体や仕切材及び框体が室内側から直接見えにくくなるように、室内側にカバー体を設けたり、あるいは納まりを工夫して室内側に直接露出しないようにすることが行われていた。しかし、操作ハンドルは室内側から操作がなされるため、室内側に面するように框体の内周面から内方に突出して設ける必要がある。操作ハンドルは金属材あるいは樹脂材からなり、内観視において目立つため、框体等を室内側から見えにくくしても、操作ハンドルによりサッシの意匠性が低下することとなっていた。
【０００５】
本発明は、上記問題点を解決すべくなされたものであり、サッシ内における意匠性を向上させた操作ハンドル及びそれを有したサッシを提供することを目的とする。
【課題を解決するための手段】
【０００６】
上記課題を解決するため、本発明に係る操作ハンドルは、框体内にパネル体を納めた障子を枠体内に開閉自在に納めてなるサッシの前記框体の室内側内周面に設けられる操作ハンドルにおいて、
前記操作ハンドルは操作がなされる把手部と、該把手部を回動自在に保持する基部と、前記把手部と連係し該把手部の動作に伴い前記枠体に設けられる係合部と係脱する連係部とを有してなり、
前記基部は前記把手部に向かって光を照射する発光部を有し、前記把手部は透明な材料によって形成されてなることを特徴として構成されている。
【０００７】
また、本発明に係る操作ハンドルは、前記把手部は前記発光部からの光を前記基部側から先端側に向かうように屈曲させる屈曲部を有してなることを特徴として構成されている。
【０００８】
さらに、本発明に係る操作ハンドルは、前記基部は前記把手部と対向する対向面に前記把手部を保持する保持部及び前記発光部を備え、前記屈曲部は前記把手部内において前記対向面に対して傾斜状に配置された反射面からなることを特徴として構成されている。
【０００９】
さらにまた、本発明に係る操作ハンドルは、前記基部は前記対向面に前記発光部を取付可能な取付部を備え、該取付部は前記保持部を挟んで対称位置に２か所設けられることを特徴として構成されている。
【００１０】
そして、本発明に係る操作ハンドルは、前記基部は前記連係部または把手部の動作を検知する検知部を有し、該検知部により前記連係部が前記係合部に係合したことが検知されると前記発光部を発光させることを特徴として構成されている。
【００１１】
また、本発明に係るサッシは、建物開口部に設けられる枠体に対して、框体内にパネル体を納めた障子を開閉自在に納めてなるサッシにおいて、
前記前記框体の室内側内周面には前記いずれかの操作ハンドルを設けてなることを特徴として構成されている。
【発明の効果】
【００１２】
本発明に係る操作ハンドルによれば、基部は把手部に向かって発光する発光部を有し、把手部は透明な材料によって形成されることにより、操作ハンドルの意匠性を向上させ、さらに把手部を光らせることができるので、操作ハンドルの見栄えをよくすることができる。
【００１３】
また、本発明に係る操作ハンドルによれば、把手部は発光部からの光を基部側から先端側に向かうように屈曲させる屈曲部を有してなることにより、把手部を長手方向に沿って光らせることができ、より意匠性を高くすることができる。
【００１４】
さらに、本発明に係る操作ハンドルによれば、基部は把手部と対向する対向面に把手部を保持する保持部及び発光部を備え、屈曲部は把手部内において対向面に対して傾斜状に配置された反射面からなることにより、簡易な構成で、基部側からの光を把手部の長手方向に向かって照射することができ、操作ハンドルの把手部の見栄えをよくすることができる。
【００１５】
さらにまた、本発明に係る操作ハンドルによれば、基部は対向面に発光部を取付可能な取付部を備え、取付部は保持部を挟んで対称位置に２か所設けられることにより、発光部の取付位置を左右勝手違いの場合にも対応させることができ、基部の部品を共用化することができる。
【００１６】
そして、本発明に係る操作ハンドルによれば、基部は連係部または把手部の動作を検知する検知部を有し、検知部により連係部が係合部に係合したことが検知されると発光部を発光させることにより、障子が施錠状態にあることを容易に視認することができる。
【発明を実施するための最良の形態】
【００１７】
本発明の実施形態について図面に沿って詳細に説明する。図１には本実施形態における操作ハンドルを有したサッシの外観図を、図２には本実施形態における操作ハンドルを有したサッシの内観図を、それぞれ示している。これら各図に示すように、本実施形態におけるサッシは、建物開口部に設けられる枠体１内に辷り出し状に開閉自在な障子２を横方向に２枚、縦方向に２枚、それぞれ納めて構成されている。図１においてサッシの周囲部に設けられているのは外壁材３であり、図２においてサッシの周囲部に設けられているのは内壁材４である。
【００１８】
枠体１は、上枠１０と下枠１１及び左右の縦枠１２、１２とを方形状に枠組みしてなり、その内部には仕切材として縦方向に方立１３が、横方向に無目１４が、それぞれ設けられることで、枠体１が複数の区画に仕切られている。このように仕切材により仕切られた各区画に障子２がそれぞれ納められている。方立１３と無目１４は、方立１３が上枠１０から下枠１１に渡って通して設けられ、無目１４が枠体１と方立１３または方立１３間を渡すように設けられて、いわゆる縦通しとなるように配置されている。
【００１９】
図２に示すように、室内側からは枠体１が内壁材４によって覆われている。また、方立１３や無目１４は、室内面を樹脂内枠１７で覆われており、室内側に直接露出しないようにされている。さらに、障子２は後述するようにガラス板からなるパネル体２０を框体２１内に納めてなり、框体２１は樹脂内枠１７より内周側に突出しないようにされている。また、框体２１の一方の縦辺内周面には、内方に突出するように操作ハンドル３０が設けられている。このため、障子２は内観視においてパネル体２０及び操作ハンドル３０が見えるようになっている。
【００２０】
次に、枠体１の構成についてさらに詳細に説明する。図３にはサッシの縦断面図を、図４にはサッシの横断面図を、それぞれ示している。枠体１は、前述のように上枠１０と下枠１１及び左右の縦枠１２が方形状に枠組みされ、それぞれ建物躯体に対して固定されている。仕切材となる方立１３と無目１４は、いずれも同じ断面形状を有するように形成されている。
【００２１】
方立１３と無目１４は、断面略長方形状の中空部分を備え、両側面が障子２の外周面と対向する内周面４０であり、さらに室外面４１と室内面４２を備えている。両側の内周面４０には室内外中間位置に内周側に向かって突出する起立片４３が形成されており、その先端部分には室外側面に気密材４４が長手方向に沿って設けられている。気密材４４は障子２に当接し、枠体１と障子２間の気密性を確保する。枠体１を構成する上枠１０と下枠１１及び縦枠１２にも、方立１３及び無目１４と同じ見込方向位置に内周側に向かって突出する起立片４３が形成されており、その室外側面には気密材４４が設けられて、障子２との間の気密性を確保するようにしている。
【００２２】
無目１４の両側の内周面４０には、それぞれ障子２を開閉自在に支持するリンク部品１６が取付けられている。リンク部品１６は、内周面４０のうち起立片４３よりも室外側に設けられ、障子２と連係している。また、枠体１を構成する上枠１０及び下枠１１にも、それぞれ内周面の起立片４３より室外側にリンク部品１６が取付けられており、障子２と連係している。
【００２３】
方立１３及び無目１４の起立片４３より室内側には、樹脂内枠１７が設けられる。樹脂内枠１７は、起立片４３の室内側面と起立片４３より室内側の内周面４０及び室内面４２を覆っている。また、樹脂内枠１７の内周面には伸縮網戸５を納め、あるいは開閉をガイドすることができるようにされている。この伸縮網戸５は、左右方向に伸縮自在となるように形成されている。
【００２４】
枠体１を構成する上枠１０と下枠１１及び縦枠１２にも、それぞれ樹脂内枠１７が設けられる。枠体１に設けられる樹脂内枠１７は、各枠材の起立片４３より室内側を覆うようにされており、また樹脂内枠１７において伸縮網戸５を納め、あるいは開閉をガイドする。
【００２５】
方立１３及び無目１４に設けられる樹脂内枠１７は、室内面が平面状に形成されている。また、樹脂内枠１７は方立１３及び無目１４の見付面全体を覆っており、それが平面状に形成されていることによって、内観視において意匠性を良好にすることができる。
【００２６】
次に、障子２について詳細に説明する。障子２は、前述のように方形状に框組みされた框体２１内にガラス板からなるパネル体２０を納めて構成されている。框体２１は、上框２２と下框２３及び左右の縦框２４、２４からなっており、各框材は枠体１の内周面や方立１３または無目１４の内周面４０と対向する框材本体２５と、框材本体２５の室外側に取付けられてパネル体２０を保持する縁部材２６と、框材本体２５から縁部材２６にかけての内周面側を覆う内周樹脂カバー材２７とで構成されている。
【００２７】
縁部材２６は、アルミの型材によって形成されており、パネル体２０の周縁部を納める溝状の取付溝部２８と、取付溝部２８から室内側に延出される室内延出部２９とが一体的に形成されている。また、パネル体２０と取付溝部２８との間には接着剤が充填され、これによってパネル体２０と縁部材２６とが一体化されている。室内延出部２９は段差状に形成されて、縁部材２６全体としては取付溝部２８とで柄杓状をなすように形成されている。框材本体２５も縁部材２６と同様、アルミの型材によって形成されており、縁部材２６の取付溝部２８の室内面と室内延出部２９の外周面を覆うような形状に形成される。
【００２８】
縁部材２６や框体２１の内周側には、これらを覆う内周樹脂カバー材２４が設けられる。内周樹脂カバー材２４は、樹脂材によって形成されており、縁部材２６及び框体２１の室内側内周部を全て覆うことで、これらが室内側に直接露出しないようにし、障子２の意匠性を向上させている。
【００２９】
また、サッシ全体としては、障子２の室内側内周面を構成する内周樹脂カバー材２４の内周面と、方立１３及び無目１４の起立片４３の内周端と、樹脂内枠１７の内周端とは、略同一面内に配置されている。これによって、室内視において障子２の内周面は隠れた状態となるため、その存在を意識させないスリムな内観とすることができる。
【００３０】
図４に示すように、框体２１の縦辺を構成する縦框２４の内周面には、操作ハンドル３０が設けられている。操作ハンドル３０は、縦框２４の内周面に対して固定される箱状の基部３１と、基部３１に対して回動自在に設けられる略長方形状の把手部３２とを有している。把手部３２は、基部３１から縦框２４側に突出する連係部３３と連係されており、把手部３２を回動操作することにより、連係部３３が縦框２４内において上下方向にスライド動作するようになっている。
【００３１】
縦枠１２の連係部３３と対向する内周面には、係合部１８が設けられている。係合部１８は、縦枠１２の長手方向に沿って連係部３３が係脱可能となるように設けられており、把手部３２が回動操作されるのに伴って、連係部３３が係合部１８に対して係合あるいは係合解除される。把手部３２の回動操作により連係部３３が係合部１８に対して係合されることにより、障子２は枠体１に対して施錠された状態となる。一方、把手部３２の回動操作により連係部３３が係合部１８から係合解除されることにより、障子２は枠体１に対して解錠された状態となり、把手部３２を手で持って障子２を開閉することができるようになる。
【００３２】
図５には、操作ハンドル３０及び縦框２４の正面図を示している。この図に示すように、基部３１の把手部３２と対向する対向面３１ｃには、支軸３５により把手部３２を回動自在に保持する保持部３１ａが設けられている。把手部３２は、透明な樹脂材により細長い長方形状に形成されており、基部３１側の端部には金属からなる非透明なカバー部３２ａが取付けられている。
【００３３】
連係部３３は、支軸３５を介して把手部３２と連係するロッド部３３ａが基部３１内に納められ、さらにロッド部３３ａの一端部に対して回動自在に取付けられたスライド部３３ａが縦框２４内において上下方向にスライド自在とされている。図５に示す状態において、スライド部３３ａは縦枠１２の係合部１８に係合した状態となる。すなわち、図５では障子２は施錠状態となっている。
【００３４】
図６には、操作ハンドル３０を図５の状態から回動させた場合における操作ハンドル３０及び縦框２４の正面図を示している。この図に示すように、操作ハンドル３０を図５の状態から障子２の内周側に向かって回動させると、支軸３５を介して連係する連係部３３のロッド部３３ａも回動する。さらにそれに伴い、スライド部３３ａが縦框２４内においてスライドし、縦枠１２の係合部１８から係合解除された状態となる。これによって、図６では障子２は解錠状態となっている。
【００３５】
図７には、基部３１の斜視図を示している。この図に示すように、基部３１の対向面３１ｃには、前述のように支軸３５を挿入可能な保持部３１ａが設けられ、さらに保持部３１ａを挟んで対称となる２か所に凹状の取付部３１ｂが形成されている。取付部３１ｂのうち一方には、発光部３４が設けられる。発光部３４は、発光ダイオード等の発光素子からなり、電源に接続されることで発光し、対向面３１ｃと対向する把手部３２に向かって光を照射する。
【００３６】
図８には、把手部３２の正面図及び断面図を示している。図８（ａ）は把手部３２の正面図であり、図８（ｂ）は図８（ａ）のＡ−Ａ断面図である。図８（ａ）において、把手部３２は基部３１の対向面３１ｃと対向する面が正面となるように表されている。この図に示すように、把手部３２には軸孔部３２ｂに隣接した先端側の位置に、屈曲部３２ｃが形成されている。屈曲部３２ｃは、基部３１に設けられた発光部３４から照射された光を、把手部３２の基部３１側から先端側に向かうように屈曲させるものであり、そのために光を反射させる反射面３２ｄが形成されている。
【００３７】
図８（ｂ）に示すように、屈曲部３２ｃは把手部３２の基部３１と対向する面と反対側の面を断面三角形状に切り欠いて形成されており、把手部３２の先端側の一面を研磨加工することで光を反射させる反射面３２ｄを形成している。反射面３２ｄは、把手部３２が基部３１に取付けられた状態において、基部３１の対向面３１ｃに対して約４５°の角度を有して傾斜状となるように配置される。これにより、反射面３２ｄは発光部３４から照射される光に対して傾斜状となり、この光を屈曲させて把手部３２の先端側に照射することができる。
【００３８】
図９には、操作ハンドル３０の側面図を示している。この図において把手部３２は障子２を施錠状態とする位置に配置されている。この状態において、把手部３２に形成された屈曲部３２ｃの反射面３２ｄは、基部３１に設けられた発光部３４と対向している。そして、把手部３２は透明な材料で形成されていることにより、発光部３４から照射された光は把手部３２内に導かれ、反射面３２ｄで反射して把手部３２の先端側に向かって照射される。
【００３９】
このように、操作ハンドル３０の把手部３２を透明な材料で形成したことで、框体２１の内周面から内方に突出する操作ハンドル３０の意匠性を高めることができ、また、基部３１に発光部３４を設けて把手部３２に光を照射すると共に、把手部３２の屈曲部３２ｃで光を把手部３２の基部３１側から先端側に照射するようにしたことで、透明な把手部３２を視認しやすくすると共に、把手部３２に光が照射されることでより見栄えをよくすることができる。
【００４０】
発光部３４は、障子２が閉じた状態で枠体１側と電気的に接続され、家庭用電源（図示しない）と接続される。また、把手部３２が障子２を施錠状態とする位置となった際に発光するように構成されている。そのために、基部３１内には、把手部３２または連係部３３の動作を検知する検知部（図示しない）が設けられ、この検知部により連係部３３が係合部１８に係合して施錠状態にあること、あるいは把手部３２が施錠状態に相当する位置にあることを検知すると、発光部３４に通電して発光させる。
【００４１】
また、家庭用電源と接続するよりも簡易な構成として、障子２側に太陽電池及び蓄電池を設け、太陽電池で発電した電気により蓄電池を充電し、発光部３４を蓄電池と接続して発光させるようにしてもよい。これによれば、障子２側だけで発光部３４を発光させるための構成が完結しているので、サッシの取付の際に接続作業等を行う必要がなく、容易に発光部３４を設けることができる。
【００４２】
本実施形態では、図７に示すように基部３１には保持部３１ａを挟んで２か所に取付部３１ｂを形成している。これにより、基部３１を框体２１において左右反対側に取付けた場合であっても、把手部３２の反射面３２ｄと対向する位置に発光部３４を設けることができ、左右勝手違いのサッシに対して部品を共用化することができる。また、本実施形態では左右勝手に応じて一方の取付部３１ｂに発光部３４を設けているが、両方の取付部３１ｂに発光部３４を設けておいてもよい。
【００４３】
以上、本発明の実施形態について説明したが、本発明の適用はこれら実施形態には限られず、その技術的思想の範囲内において様々に適用されうるものである。例えば、本実施形態のサッシは、枠体１内に方立１３や無目１４を設けて４枚の障子２を開閉自在に設け、それぞれの障子２に操作ハンドル３０が設けられる構成となっているが、枠体１内に１枚の障子２が開閉自在に納められた通常の開き窓であっても本発明の操作ハンドルを適用することができる。また、障子が枠体に対し開閉自在な窓の種類として、本実施形態では縦辷り出し窓を示しているが、横辷り出し窓や平行辷り出し窓など他の種類の窓であっても、操作ハンドル３０を必要とする窓であれば本発明を適用することができる。
【図面の簡単な説明】
【００４４】
【図１】サッシの外観図である。
【図２】サッシの内観図である。
【図３】サッシの縦断面図である。
【図４】サッシの横断面図である。
【図５】操作ハンドル及び縦框の正面図である。
【図６】操作ハンドルを図５の状態から回動させた場合における操作ハンドル及び縦框の正面図である。
【図７】基部の斜視図である。
【図８】把手部の正面図及び断面図である。
【図９】操作ハンドルの側面図である。
【符号の説明】
【００４５】
１    枠体
２    障子
１０    上枠
１１    下枠
１２    縦枠
１３    方立
１４    無目
１５    操作ハンドル
１８    係合部
２０    パネル体
２１    框体
２２    上框
２３    下框
２４    縦框
３０    操作ハンドル
３１    基部
３１ａ  保持部
３１ｂ  取付部
３１ｃ  対向面
３２    把手部
３２ａ  カバー部
３２ｂ  軸孔部
３２ｃ  屈曲部
３２ｄ  反射面
３３    連係部
３３ａ  ロッド部
３３ｂ  スライド部
３４    発光部
３５    支軸
【図１】
2009228214.tif 000003
【図２】
2009228214.tif 000004
【図３】
2009228214.tif 000005
【図４】
2009228214.tif 000006
【図５】
2009228214.tif 000007
【図６】
2009228214.tif 000008
【図７】
2009228214.tif 000009
【図８】
2009228214.tif 000010
【図９】
2009228214.tif 000011